(57)【要約】【課題】  用途を増加できるエアー電動インパクト回転工具の回転接続コレットを提供する。【解決手段】  メインボディ１０を有している。メインボディ１０は第一の端面１１１、第二の端面１２１、四角形孔及び六角形孔を有している。第一の端面１１１と第二の端面１２１は相反した方向に面していて、四角形孔の孔径は六角形孔の孔径より大きく、それら二つの孔はそれぞれ第一の端面１１１及び第二の端面１２１上に於いて四角形の開き口及び六角形の開き口を形成している。これにより、それぞれ電動或いはエアーインパクト回転工具の四角い柱形の出力端及びスクリュードライバーヘッドの六角形ヘッド端を挿入でき、且つ四角形孔と六角形孔は同じ中心線を有している。磁石は、メインボディ１０内に於いて六角形孔に隣接して埋め込まれている。【選択図】    図１
0003109631.tif 000002
【実用新案登録請求の範囲】
【請求項１】
エアー又は電動インパクト回転工具の回転接続コレットであって、
メインボディは、第一の端面、第二の端面、四角い孔及び六角形孔を有し、その第一の端面及び第二の端面は相反する方向に面しており、四角い孔の孔径は六角形孔の孔径よりも大きく、それら四角い孔及び六角形孔はそれぞれ第一の端面及び第二の端面上に於いて四角い開き口及び六角形の開き口を形成し、これによりそれぞれ電動或いはエアーインパクト回転工具の長柱形出力端、及びスクリュードライバーヘッドの六角形ヘッド端に挿入可能であり、かつ四角い孔と六角形孔は同じ中心線を有し、
磁石は、メインボディ内に於いて六角形孔に隣接して埋設されていることを特徴とする回転接続コレット。
【請求項２】
メインボディは円柱状を呈しており、大径部、小径部、及び大径部及び小径部に連接した連接部を有し、第一の端面及び第二の端面はそれぞれその大径部、小径部に位置しており、四角い孔及び六角形孔はそれぞれその大径部、小径部内に位置していることを特徴とする請求項１記載の回転接続コレット。
【請求項３】
メインボディは更に二つの長い溝及び二つの挿入孔を有し、二つの長い溝は六角形孔の二つの相対する内壁上に縦向きに開設されており、それぞれ弓形ばね片を収容するのに用いられ、二つの挿入孔はそれぞれ大径部の二つの相対する位置に位置し、それぞれ大径部の外壁及びその四角い孔の内壁を貫いており、二つの挿入孔には出力ヘッド上に二つの弾性ピンが挿入され、出力ヘッド上から脱落することなく、それら二つの弓形ばね片は押し頂部で以ってその六角形孔の中のスクリュードライバーヘッドを納めるのに用いられ、スクリュードライバーヘッドはその六角形孔の中に於いてがたつきを防止することを特徴とする請求項２記載の回転接続コレット。
【請求項４】
Ｃ形ひっかけリングを有し、六角形孔の中に設けられ、磁石頂面から磁石をその六角形孔の中に圧迫して固定するのに用いられることを特徴とする請求項１記載の回転接続コレット。
【考案の詳細な説明】
【技術分野】
【０００１】
本考案は、電動或いはエアーインパクト回転工具（Impact  Rotary  Tool）の回転接続コレットに関連があり、特に、回転接続可能なスクリュードライバーヘッドのエアー電動インパクト回転工具の回転接続コレットに関するものである。
【背景技術】
【０００２】
御存知のように、一般の電動或いはエアーインパクト回転工具は、使用する際、必ず一つのコレットを組み合せて使用することが必要であり、即ち、コレット上に一つの正方形孔及び一つの多角形孔を有し、それら二つの孔はそれぞれコレットの両側の相対する端面上に於いて一つの正方形開き口及び一つの多角形開き口を形成していて、それぞれ一つの電動或いはエアーインパクト回転工具の四角形出力端及び一つのねじの頭部を挿入するのに用いられ、これにより、一つの電動或いはエアーインパクト回転工具の出力端は正方形穴の中に挿入され、並びにコレットの多角形孔は一つのねじの頭部上に被せ合わされ、コレットは仲介物となることができ、電動インパクト回転工具の生み出す回転運動動力をねじ上に伝える。
【０００３】
しかしながら、上述の電動或いはエアーインパクト回転工具の出力端は、一つの正方形柱となっていて、上述のコレットなどの回転仲介ツールが組み合わされなければ、その他の用途を備えることはできない。従って、この種の電動或いはエアーインパクト回転工具に対して新たな用途の回転接続コレットをいかに設計するかということは、現在業者が極力思考するものなのである。
【考案の開示】
【考案が解決しようとする課題】
【０００４】
これを鑑み、本考案の主要な目的は、エアー電動インパクト回転工具の回転接続コレットを提供することにあり、これは、回転接続可能な一つのエアー電動インパクト回転工具の出力端と一つのスクリュードライバーヘッドであり、エアー電動インパクト回転工具の生み出す回転動力をスクリュードライバーヘッドに伝え、更にスクリュードライバーヘッドを利用して一つのねじを回転させ、これにより、エアー電動インパクト回転工具の用途を増すことである。
【課題を解決するための手段】
【０００５】
上述の目的を達成するため、本考案のエアー電動インパクト回転工具の回転接続コレットは、主に一つのメインボディを含み有していて、メインボディは一つの第一の端面、一つの第二の端面、一つの四角形孔及び一つの六角形孔を有している。第一の端面と第二の端面は相反した方向に面していて、四角形孔の孔径は六角形孔の孔径より大きく、且つそれら二つの孔はそれぞれ第一の端面及び第二の端面上に於いて一つの四角形の開き口及び一つの六角形の開き口を形成していて、これにより、それぞれ一つの電動或いはエアーインパクト回転工具の四角い柱形の出力端及び一つのスクリュードライバーヘッドの六角形ヘッド端を挿入できるものであり、且つ四角形孔と六角形孔は同じ中心線を有している。一つの磁石は、メインボディ内に於いて六角形孔に隣接して埋め込まれて設けられている。
【考案を実施するための最良の形態】
【０００６】
本考案を更に詳細に説明するため、ここに本考案の一つの比較的優れた実施例並びに下記図示を組み合わせて詳細に説明する。
図１は、本考案の一つの比較的優れた実施例の平面図である。
図２〜図３は、それぞれ図１の二側の側面図である。
【０００７】
図４は、図２を４−４線で切断した断面図である。
図５は、図１で示す実施例の使用状態を示す側面図である。
図６は、図１で示す実施例の使用状態を示す断面図である。
【０００８】
図１〜図４を御覧ください。本考案の比較的優れた一実施例によるエアー電動インパクト回転工具の回転接続コレット１は、主に一つのメインボディ１０及び一つの磁石２０を含み有している。
【０００９】
メインボディ１０は、円柱状を呈していて、一つの大径部１１と、一つの小径部１２と、大径部１１及び小径部１２に連接した一つの連接部１３とを有していて、大径部１１は一つの第一の端面１１１を有し、小径部１２は一つの第二の端面１２１を有し、且つ第一の端面１１１及び第二の端面１２１は相反する方向に面している。メインボディ１０は更に一つの正方形孔１１２及び一つの六角形孔１２２を有していて、正方形孔１１２は大径部１１の中に位置していて、それは第一の端面１１１に於いて一つの正方形の開き口１１３を形成している。六角形孔１２２は小径部１２の中に位置していて、且つそれは第二の端面１２１に於いて一つの六角形の開き口１２３を形成している。また、正方形孔１１２の孔径は六角形孔１２２の孔径より大きい。このほか、メインボディ１０は二つの長い溝１２４及び二つの挿入孔１１４を有していて、それらの二つの長い溝１２４は六角形孔１２２の二つの相対する内壁上に於いて縦向きに開設されていて、それぞれ一つの弓形ばね片１２５を収容するのに用いられる。それらの二つの挿入孔１１４はそれぞれ大径部１１の二つの相対する位置上に位置し、且つそれぞれ大径部１１の外壁及び正方形孔１１２の内壁を貫いている。
【００１０】
磁石２０は、六角柱状を呈していて、六角形孔１２２の基部に塞ぎ設けられ、且つ一つのＣ形ひっかけリング３０がその頂面から六角形孔１２２の中に於いて圧迫してしっかり固定している。
【００１１】
図５及び図６を御覧ください。回転接続コレット１の正方形孔１１２は一つのエアー電動インパクト回転工具２（Impact  Rotary  Tool）の正方形出力ヘッド４０上に被せて設けられていて、且つ回転接続コレット１の六角形孔１２２は一つのスクリュードライバーヘッド３（screwdriver  head  or  screwdriver  bit）を収めて接している。メインボディ１０上のそれら二つの挿入孔１１４には出力ヘッド４０上の二つの弾性ピン４１が挿入され、回転接続コレット１が自ら出力ヘッド４０上から脱落することなく、スクリュードライバーヘッド３は磁石２０の吸引により自ら六角形孔１２２から脱落することなく、且つそれら二つの弓形ばね片１２５の押し頂部は六角形孔１２２の中に於いてがたつきを生み出すことがない。これにより、インパクト回転工具はねじ回し作業を行うことができるのである。
【図面の簡単な説明】
【００１２】
【図１】本考案の一実施例によるエアー電動インパクト回転工具の回転接続コレットを示す平面図である。
【図２】本考案の一実施例によるエアー電動インパクト回転工具の回転接続コレットの一側を示す側面図である。
【図３】本考案の一実施例によるエアー電動インパクト回転工具の回転接続コレットの他側を示す側面図である。
【図４】図３を４−４線で切断した断面図である。
【図５】本発明の一実施例によるエアー電動インパクト回転工具の回転接続コレットの使用状態を示す模式図である。
【図６】本発明の一実施例によるエアー電動インパクト回転工具の回転接続コレットの使用状態を示す断面図である。
【符号の説明】
【００１３】
１  エアー電動インパクト回転工具の回転接続コレット、２  エアー電動インパクト回転工具メイン、３  スクリュードライバーヘッド、１０  メインボディ、１１  大径部、１２  小径部、１３  連接部、２０  磁石、３０  Ｃ形ひっかけリング、４０  出力ヘッド、１１１  第一の端面、１１２  正方形孔、１１３  開き口、１１４  挿入孔、１２１  第二の端面、１２２  六角形孔、１２３  開き口、１２４  長い溝、１２５  弓形ばね片
【図１】
0003109631.tif 000003
【図２】
0003109631.tif 000004
【図３】
0003109631.tif 000005
【図４】
0003109631.tif 000006
【図５】
0003109631.tif 000007
【図６】
0003109631.tif 000008